(57)【要約】【課題】  眼鏡の機能や種類ごとにディスプレイを変えて目立ちやすくできる方法を提供する。【解決手段】  フロントフレーム，テンプル及び鼻パッド等の眼鏡部品から組み立てられる眼鏡又は前記眼鏡部品の各々を店頭等でディスプレイするための方法であって、前記フロントフレームに対して前記テンプル及び前記鼻パッド等の前記眼鏡部品を着脱自在にするとともに、少なくとも前記テンプルに磁着体を設け、前記磁着体が吸着する被磁着体を備えた支持体を準備し、前記磁着体を前記被磁着体に磁着させることで、前記眼鏡及び／又は前記テンプルを前記支持体に支持させた。【選択図】  図６
2014186156.tif 000002
【特許請求の範囲】
【請求項１】
フロントフレーム，テンプル及び鼻パッド等の眼鏡部品から組み立てられる眼鏡又は前記眼鏡部品の各々を店頭等でディスプレイするための方法であって、
前記フロントフレームに対して前記テンプル及び前記鼻パッド等の前記眼鏡部品を着脱自在にするとともに、少なくとも前記テンプルに磁着体を設け、
前記磁着体が吸着する被磁着体を備えた支持体を準備し、
前記磁着体を前記被磁着体に磁着させることで、前記眼鏡及び／又は前記テンプルを前記支持体に支持させたこと、
を特徴とする眼鏡又は眼鏡部品のディスプレイ方法。
【請求項２】
前記磁着体を前記フロントフレーム又は鼻パッドを含む前記テンプル以外の前記眼鏡部品に設け、各前記眼鏡部品を前記支持体の被磁着部に磁着させたことを特徴とする請求項１に記載の眼鏡又は眼鏡部品のディスプレイ方法。
【請求項３】
前記支持体と前記眼鏡又は前記眼鏡部品との間に介在し、前記磁着体と磁着する被磁着部及び前記支持体の前記被磁着部に磁着する磁着部を備える中間支持体を設けたことを特徴とする請求項１又は２に記載の眼鏡又は眼鏡部品のディスプレイ方法。
【請求項４】
フロントフレーム，テンプル及び鼻パッド等の眼鏡部品から組み立てられる眼鏡又は前記眼鏡部品の各々を店頭でディスプレイするための方法であって、
前記フロントフレームに対して前記テンプル及び前記鼻パッド等の前記眼鏡部品を着脱自在にし、
前記眼鏡部品を配置するための基台と、
この基台に対して開閉自在な蓋体と、
前記蓋体に形成されたディスプレイ用の窓と、
この窓に対応する前記基台の所定位置に位置決めして保持されたフロントフレームと、
前記フロントフレームと実質的に同一の幅内に収容され、前記フロントフレームの上方又は下方に配置された一種又は交換用の複数種のテンプルと、
前記フロントフレームと実質的に同一の幅内に収容され、前記フロントフレームの上方又は下方に配置された一種又は複数種の鼻パッドと、
を備えることを特徴とする眼鏡又は眼鏡部品のディスプレイ方法。
【請求項５】
少なくとも前記テンプルに磁着体を設け、前記磁着体が吸着する被磁着体を、前記フロントフレームと実質的に同一の幅内で前記鼻パッド又は前記テンプルとともに収容したことを特徴とする請求項４に記載の眼鏡又は眼鏡部品のディスプレイ方法。
【請求項６】
フロントフレーム，テンプル及び鼻パッド等の眼鏡部品から組み立てられる眼鏡であって、
前記フロントフレームに対して着脱自在な前記テンプル及び前記鼻パッドと、
前記テンプルの一部に蛇腹状に形成された屈曲部と、
を有することを特徴とする眼鏡。
【請求項７】
左右の前記テンプルの一方に設けられた磁着体及び他方に設けられた被磁着体を有し、前記テンプルを折り畳んだときに前記磁着体と被磁着体が磁着することで前記テンプルの折り畳み状態が維持されることを特徴とする請求項６に記載の眼鏡。
【請求項８】
前記鼻パッド及び前記フロントフレームの少なくとも一方に磁着体を設けたことを特徴とする請求項６又は７に記載の眼鏡。
【請求項９】
前記テンプルが、利用者のこめかみ部分に当接して眼鏡を装着する短尺のものであることを特徴とする請求項６〜８のいずれかに記載の眼鏡。
【発明の詳細な説明】
【技術分野】
【０００１】
本発明は、展示会や店頭、ショーケース等において眼鏡又は眼鏡部品をディスプレイする方法及びこの方法に適した眼鏡に関する。
【背景技術】
【０００２】
百貨店やショッピングセンターの眼鏡売り場，専門店やコンビニエンスストアなどの店舗では、ラックなどを利用して種々のデザインの商品を陳列して販売している。ラックなどを利用した店頭販売では、可能な限り目立つようなディスプレイ上の工夫が常に要求されており、そのための種々のディスプレイ方法が提案され、店頭等で実行されている（特許文献１〜６参照）。
【先行技術文献】
【特許文献】
【０００３】
【特許文献１】特開２０１１−２８３６０号公報
【特許文献２】特開２０１０−２８２４０６号公報
【特許文献３】特開２００８−６８８７８号公報
【特許文献４】特開２００６−１９８１３３号公報
【特許文献５】特開２００２−２７８４９１号公報
【特許文献６】実用新案登録第３０５３２７１号公報
【発明の概要】
【発明が解決しようとする課題】
【０００４】
ところで、眼鏡は、レンズを保持するフロントフレームと、このフロントフレームの両側に折り畳み自在に取り付けられた左右一対のテンプルと、左右のレンズの間のブリッジ部分に設けられた鼻パッドとから概略構成され、これらが一体に組み立てられた状態でディスプレイされるのが一般的である。
しかし、従来の眼鏡ではディスプレイの形態に限界があるという問題がある。例えば老眼鏡のような眼鏡が、一般の眼鏡に紛れてわかりづらく、高齢者が老眼鏡を探して広い店内を歩き回っているというのが現状である。
このような場合に、眼鏡の機能や種類ごとにディスプレイを変えて目立ちやすくそればよいが、上述のとおり現状においてはディスプレイの形態が限定されるため、このような課題の解決が難しいという問題がある。本発明はこのような課題を解決することを目的とする。
【課題を解決するための手段】
【０００５】
上記目的を達成するため、本発明の眼鏡又は眼鏡部品のディスプレイ方法は、請求項１に記載するように、フロントフレーム，テンプル及び鼻パッド等の眼鏡部品から組み立てられる眼鏡又は前記眼鏡部品の各々を店頭等でディスプレイするための方法であって、前記フロントフレームに対して前記テンプル及び前記鼻パッド等の前記眼鏡部品を着脱自在にするとともに、少なくとも前記テンプルに磁着体を設け、前記磁着体が吸着する被磁着体を備えた支持体を準備し、前記磁着体を前記被磁着体に磁着させることで、前記眼鏡及び／又は前記テンプルを前記支持体に支持させた方法としてある。
【０００６】
なお、「磁着体」は磁石であってもよいし、磁着性を有する金属であってもよい。また、「被磁着体」は、「磁着体」が磁石である場合は磁着性を有する金属であってもよいし磁石であってもよい。
前記磁着体は、請求項２に記載するように、前記フロントフレーム又は鼻パッドを含む前記テンプル以外の他の前記眼鏡部品に設け、各前記眼鏡部品を前記支持体の被磁着部に磁着させてもよい。また、請求項３に記載するように、前記支持体と前記眼鏡又は前記眼鏡部品との間に介在し、前記磁着体と磁着する被磁着部及び前記支持体の前記被磁着部に磁着する磁着部を備える中間支持体を設けてもよい。
この方法によれば、支持体に眼鏡や眼鏡部品を貼り付けることができ、支持体の形態を種々に変化させて多様な形態のディスプレイ方法で眼鏡及び眼鏡部品を消費者にアピールすることが可能になる。
【０００７】
本発明の他のディスプレイ方法は、眼鏡部品を収容したパッケージ形のもので、請求項４に記載するように、フロントフレーム，テンプル及び鼻パッド等の眼鏡部品から組み立てられる眼鏡又は前記眼鏡部品の各々を店頭でディスプレイするための方法であって、前記フロントフレームに対して前記テンプル及び前記鼻パッド等の前記眼鏡部品を着脱自在にし、前記眼鏡部品を配置するための基台と、この基台に対して開閉自在な蓋体と、前記蓋体に形成されたディスプレイ用の窓と、この窓に対応する前記基台の所定位置に位置決めして保持されたフロントフレームと、前記フロントフレームと実質的に同一の幅内に収容され、前記フロントフレームの上方又は下方に配置された一種又は交換用の複数種のテンプルと、前記フロントフレームと実質的に同一の幅内に収容され、前記フロントフレームの上方又は下方に配置された一種又は複数種の鼻パッドと、を備える方法としてある。
請求項５に記載するように、少なくとも前記テンプルに磁着体を設け、前記磁着体が吸着する被磁着体を、前記フロントフレームと実質的に同一の幅内で前記鼻パッド又は前記テンプルとともに収容してもよい。
【０００８】
上記のディスプレイ方法に適した眼鏡としては、請求項６に記載するように、フロントフレーム，テンプル及び鼻パッド等の眼鏡部品から組み立てられる眼鏡であって、前記フロントフレームに対して着脱自在な前記テンプル及び前記鼻パッドと、前記テンプルの一部に蛇腹状に形成された屈曲部とを有する構成のものを挙げることができる。請求項７に記載するように、左右の前記テンプルの一方に設けられた磁着体及び他方に設けられた被磁着体を有し、前記テンプルを折り畳んだときに前記磁着体と被磁着体が磁着することで前記テンプルの折り畳み状態が維持されるようにしてもよく、請求項８に記載するように、前記鼻パッド及び前記フロントフレームの少なくとも一方に磁着体を設けてもよい。さらに、請求項９に記載するように、前記テンプルが、利用者のこめかみ部分に当接して眼鏡を装着する短尺のものであってもよい。
【発明を実施するための最良の形態】
【０００９】
以下、本発明の好適な実施形態について図面を参照しながら詳細に説明する。
図１（ａ）は、本発明の眼鏡の第一の実施形態にかかり、分解状態の各部品の説明図、図１（ｂ）は、（ａ）の眼鏡の分解状態の平面図、図１（ｃ）は（ａ）の眼鏡の正面図である。
図１に示すように、この実施形態の眼鏡は、レンズを保持するフロントフレーム１と、このフロントフレーム１に着脱自在に取り付けられるテンプル２と、フロントフレームのブリッジ１２の部分に着脱自在に取り付けられる鼻パッド３とを有している。この実施形態では、フロントフレーム１、鼻パッド３及びテンプル２は軽量で柔軟性を有する樹脂で形成されている。
【００１０】
フロントフレーム１の左右の智１１には、下端から高さ方向の途中部位まで穿設された嵌合溝１１ａが形成されていて、この嵌合溝１１ａに、テンプル２の先端の係合突起２ａを智１１の下方から嵌め込むことで、テンプル２がフロントフレーム１に着脱自在に取り付けられる。
同様に、鼻パッド３についても、鼻パッド３に嵌合溝３ａを形成し、フロントフレーム１のブリッジ１２の部分に図示しない嵌合突起を形成することで、鼻パッド３がフロントフレーム１に着脱自在に取り付けられる。
この実施形態においてテンプル２は柔軟性のある樹脂材料で形成されている。左右のテンプル２は、ヒンジ機構によって折り畳み自在としてもよいが、この実施形態のテンプル２には複数の溝からなる蛇腹部２ｂが形成されていて、この蛇腹部２ｂでテンプル２が撓むようになっている。
【００１１】
図２（ａ）は、本発明の眼鏡の第二の実施形態にかかり、分解状態の各部品の説明図、図２（ｂ）は、（ａ）の眼鏡の分解状態の平面図である。
この実施形態では、図１の実施形態の眼鏡のテンプル３の代わりに、短尺のテンプル４を用いている。フロントフレーム１及び鼻パッド３は先の実施形態と同じものである。
短尺のテンプル４の一端には、先の実施形態のテンプル３と同様に智１１の嵌合溝１１ａに嵌め込まれる嵌合突起４ａが形成され、ヒンジの代わりに蛇腹部４ｂが形成されている。また、他端には利用者のこめかみ部分に当接するボール状の当接部４ｃが形成されている。
この態様により、テンプル４の他端の当接部４ｃで利用者の左右のこめかみを挟持することで、眼鏡が利用者の顔に固定される。
【００１２】
図３（ａ）は、本発明の眼鏡の第三の実施形態にかかり、テンプルを展開した状態の平面図、図３（ｂ）は、（ａ）の眼鏡のテンプルを折り畳んだ状態の平面図である。
この実施形態の眼鏡は、図１を参照しながら説明した第一の実施形態の眼鏡と基本構成は同じであるが、左右のテンプル２の途中部位に磁石２ｄを組み込んである。
この磁石２ｄは、図３（ｂ）に示すように蛇腹部２ｂでテンプル２を折り畳んだときに、左右のテンプル２，２の磁石２ｄ，２ｄが互いに吸着しあって、テンプル２，２の折り畳み状態を維持するものである。なお、一方を磁石２ｄとして他方を磁着性の金属としてもよい。
【００１３】
この実施形態のように、磁石２ｄ又は磁着性の金属をテンプル２，２の一方又は両方に設けることで、図４に示すような磁着性の金属又は磁石から形成された保持部材に眼鏡を保持させることが可能になる。
図４は、保持部材の一例を示す図で、（ａ）は平面図、（ｂ）は正面図である。
保持部材５は、壁面やガラス窓、鏡等の表面に吸着できる吸盤５１と、この吸盤５１に取り付けられた磁着部５２とを有している。
【００１４】
テンプル２，２の一方又は両方に磁石２ｄが取り付けられている場合は、磁着部５２は磁着性を有する金属で形成すればよい。また、テンプル２，２の両方に磁着性を有する金属が取り付けられている場合は、磁着部５２は磁石で形成するとよい。この場合、テンプル２，２は磁着部５２に磁着されることでテンプル２，２の折り畳み状態が維持され、磁着部５２から眼鏡を取り外すことでテンプル２，２が展開されることになる。
なお、テンプル２，２の一方又は両方に磁石２ｄが取り付けられている場合にも、磁着部５２は磁石で形成してもよい。
【００１５】
このような保持部材５を用いれば、壁面等の表面に眼鏡を簡単に保持させることができ、眼鏡を紛失したり、誤って踏みつけて眼鏡を破損させるという不都合を回避することができるほか、店頭等のディスプレイにおいても、眼鏡を保持部材５に保持させて例えば壁面や鏡面に貼り付けるという新しい形態のディスプレイ方式を採用することが可能になる。
【００１６】
図５ａ，図５ｂは、本発明の眼鏡を利用してパッケージ化したディスプレイ方式の一例である。
図５ａはパッケージの外観を示し、図５ｂは図５ａのパッケージの内部を示すものである。
店頭においては図５ａの状態でショーケース等に陳列される。パッケージのデザインを人目を惹く目立つものにすることで、消費者の購買意欲を促進させることができる。
パッケージの中身は、図５ｂに示すように、第１〜第３の実施形態の眼鏡を分解して収納しており、テンプル２及び鼻パッド３は異なる色やデザインのものを一つ又は複数用意して一つのパッケージ内に収容する。これにより、服装や季節、気分等に応じて、任意にテンプル２や鼻パッド３を交換することが可能になる。
【００１７】
図６は、第３の実施形態の眼鏡を用いたディスプレイの一例である。
図６（ａ）は、ディスプレイ装置の正面図、（ｂ）はその側面図、（ｃ）はその平面図である。
ディスプレイ装置６は、ベース６３と、このベース６３の上に回転軸６４によって回転自在に支持された三角柱状の支持体６２と、支持体６２の頂部に取り付けられた表示板６１とを有している。支持体６２は磁石２ｄが磁着できる金属で形成されている。
支持体６２の一面には、組み立てられた状態の眼鏡が、磁石２ｄによって上下方向に複数（図示の例では５つ）保持され、他の二つの面には、交換用のテンプル２が磁石２ｄによって保持されている。
表示板６１は、支持体６２に保持させてディスプレイする眼鏡のブランド等を表示するためのもので、目立つようなデザインや色彩とするほか、ＬＥＤ等を用いて発光させるようにしてもよい。
【００１８】
図７は、第２の実施形態の眼鏡を用いたディスプレイの一例で、ディスプレイ装置の平面図である。
この実施形態においては、図６に示すようなディスプレイ装置６を使って第２の実施形態のような眼鏡をディスプレイするために、第２の実施形態のテンプル４に磁石４ｄを設けるとともに、鼻パッド３にも磁石３ｄを設けている。鼻パッド３に代えてフロントフレーム１に磁石を設けてもよい。
そして、ディスプレイ装置６の支持体６２の一面に、吸盤５１によって保持部材５を貼り付ける。そして、保持部材５の磁着部５２に鼻パッド３の磁石３ｄを磁着させる。支持体６２の他の面には、磁石４ｄによってテンプル４を磁着する。このようにすることで、図６の実施形態と同様に、第２の実施形態の眼鏡をディスプレイすることが可能になる。
【００１９】
本発明の好適な実施形態について説明したが、本発明は上記の説明に限定されるものではない。
例えば、磁石又は磁着性の金属を設けるのはテンプルの他に鼻パッドやフロントフレームであってもよい。
また、図４を参照しつつ説明した保持部材５のうち、磁石を設けた磁着部５２のみを利用することも可能である。例えば、磁着部５２を図６の支持体６２の表面に磁着させ、磁着部５２に眼鏡や眼鏡部品を磁着するようにしてもよい。この場合、磁着部５２は支持体６２と眼鏡又は眼鏡部品との間に介在する中間支持体として機能する。
また、上記の説明でフロントフレーム１，テンプル２，４及び鼻パッド３は軽量で柔軟性を有する樹脂で形成されているとして説明したが、これらは金属や眼鏡に一般に利用されているその他の材料で形成されていてもよい。この場合、蛇腹部２ｂ，４ｂは、樹脂以外の他の材料でも同様のものを形成することは可能である。
【図面の簡単な説明】
【００２０】
【図１】図１（ａ）は、本発明の眼鏡の第一の実施形態にかかり、分解状態の各部品の説明図、図１（ｂ）は、（ａ）の眼鏡の分解状態の平面図、図１（ｃ）は（ａ）の眼鏡の正面図である。
【図２】図２（ａ）は、本発明の眼鏡の第二の実施形態にかかり、分解状態の各部品の説明図、図２（ｂ）は、（ａ）の眼鏡の分解状態の平面図である。
【図３】図３（ａ）は、本発明の眼鏡の第三の実施形態にかかり、テンプルを展開した状態の平面図、図３（ｂ）は、（ａ）の眼鏡のテンプルを折り畳んだ状態の平面図である。
【図４】保持部材の一例を示す図で、（ａ）は平面図、（ｂ）は正面図である。
【図５ａ】本発明の眼鏡を利用してパッケージ化したディスプレイ方式の一例を示す図で、パッケージの外観を示すものである。
【図５ｂ】本発明の眼鏡を利用してパッケージ化したディスプレイ方式の一例を示す図で、（ａ）のパッケージの内部を示すものである。
【図６】図６は、第３の実施形態の眼鏡を用いたディスプレイの一例で、（ａ）はディスプレイ装置の正面図、（ｂ）はその側面図、（ｃ）はその平面図である。
【図７】第２の実施形態の眼鏡を用いたディスプレイの一例で、ディスプレイ装置の平面図である。
【符号の説明】
【００２１】
１        フロントフレーム
１１      智
１１ａ    嵌合溝
２        テンプル
２ａ      嵌合突起
２ｂ      蛇腹部
２ｄ      磁石
３        鼻パッド
３ａ      嵌合溝
３ｄ      磁石
４        テンプル
４ａ      嵌合突起
４ｂ      蛇腹部
４ｃ      当接部
４ｄ      磁石
５        保持部材
５１      吸盤
５２      磁着部
６        ディスプレイ装置
６１      表示板
６２      支持体
６３      ベース
６４      回転軸
【図１】
2014186156.tif 000003
【図２】
2014186156.tif 000004
【図３】
2014186156.tif 000005
【図４】
2014186156.tif 000006
【図６】
2014186156.tif 000007
【図７】
2014186156.tif 000008
【図５ａ】
2014186156.tif 000009
【図５ｂ】
2014186156.tif 000010